(57)【要約】【課題】従来の自動車に設けられた自動変速機のシフトレバー装置の変速位置は、多くの場合、自動車の進行方向から見て、「駐車−後進−中立−前進」という順の配列となっているが、運転者の錯誤によって、「前進」するつもりが、変速シフトレバーをうっかり「後進」の位置に入れたり、または、その逆の操作をしてしまうことがしばしばあり、このような錯誤による誤操作を防止し、例えば、駐車場での人身事故や対物事故などの思わぬ事故の発生を防止することを可能とするより安全な自動変速機シフトレバー装置を提供することを課題とする。【解決手段】本発明は、人間の自然な動きに沿うよう、また、人間工学的な観点より、自動車の進行方向から見て、自動変速機のシフトレバーの配置を「前進−中立−後進−駐車」とすることにより、「前進」の時は前側への操作、「後進」の時は後側への操作として、誤操作を防止するようにした自動変速機のシフトレバー装置である。【選択図】　図３
2004136857.tif 000002
【特許請求の範囲】
【請求項１】
人間の基本的な動作として、何らかの操作によって前後左右あるいは上下に行動しようとするとき、「前進」したいときには前側へ、「後進」したいときには後側へ、「右」に行きたいときには右側へ、「左」に行きたいときには左側へ、本能的に操作をしようとするものである。このような人間の自然な動きに沿うよう、また、人間工学的な観点より、自動車の進行方向から見て、自動変速機のシフトレバーの配置を「前進−中立−後進−駐車」とした自動変速機のシフトレバー装置。
【請求項２】
自動車に設けられた自動変速機のシフトレバーの変速位置を決める従来の「駐車−後進−中立−前進」などの個々の配列を、人間工学的な観点より、前記配列を改めることにより、錯誤による誤操作を防ぎ、より安全な操作を可能とし、人身事故あるいは対物事故の防止を実現することを意図した自動変速機のシフトレバー装置。
【請求項３】
本発明の基本は、自動変速機のシフトレバーの変速位置を、「中立」に対して、「前進」のときは前側へ、「後進」のときは、後側へ配置した自動変速機のシフトレバー装置。
【請求項４】
本発明の実施を容易にする為に、シフトレバーの動作を反転させるシフトレバー動作反転装置。
【発明の詳細な説明】
【０００１】
【発明の属する技術分野】
本発明は、自動車に設けられた自動変速機のシフトレバーの変速位置を決める従来の「駐車−後進−中立−前進」などの個々の配列を、人間の自然な動きに沿うよう、また、人間工学的な観点より、錯誤による誤操作を防止するよう前記配列を改めることにより、より安全な操作を可能とし、人身事故あるいは対物事故の防止を実現する自動変速機のシフトレバー装置の技術に関する。
【０００２】
【従来の技術】
従来の自動車に設けられた自動変速機のシフトレバー装置は、シフトレバーの変速位置が、中には「後進」の位置をジグザグ状に直線配列から外しているものもあるが、多くの場合、自動車の進行方向から見て、「駐車−後進−中立−前進」という順の配列となっている。その一例として、従来の自動車の自動変速機のシフトレバーの相対的配置の平面図を図１に示す。また、同じ部分の側面図を図２に示す。
【０００３】
【発明が解決しようとする課題】
しかしながら、以上の従来技術によれば、運転者が何らかの理由で急いでいたり、慌てていたりした時、あるいは、チョッとした錯誤によって、「前進」するつもりが、変速シフトレバーをうっかり「後進」の位置に入れたり、または、その逆の操作をしてしまうことがしばしばあり、このような誤操作によって、思わぬ事故が発生し、例えば、駐車場での人身事故や対物事故の原因のうちの幾つかは、このような誤操作によって発生していることがしばしば報告されている。更に、高齢化の進む時代において、運転者も同様に高齢化の傾向にあり、錯誤による誤操作を防止し、誰が運転しても安全な操作が可能となるように、自動車の操作も人間工学的な観点より、より安全な設計が望まれている。
そこで、本発明は、自動車の自動変速機のシフトレバーの錯誤による誤操作を防止するシフトレバー装置を提供することを課題とする。
【０００４】
【課題を解決するための手段】
上記課題を解決するために、請求項１、請求項２、請求項３及び請求項４記載の自動変速機のシフトレバー装置は、次のような考えに基づいて設計されたものである。
人間の基本的な動作として、何らかの操作によって前後左右あるいは上下に行動しようとするとき、「前進」したいときには前側へ、「後進」したいときには後側へ、「右」に行きたいときには右側へ、「左」に行きたいときには左側へ、本能的に操作をしようとするものである。
そこで、本発明は、このような人間の自然な動きに沿うよう、自動車の進行方向から見て、自動変速機のシフトレバーの配置を「前進−中立−後進−駐車」とした自動変速機のシフトレバーであり、その一例として、本発明の自動車の自動変速機のシフトレバーの相対的配置の平面図を図３に示す。また、同じ部分の側面図を図４に示す。
本発明は、自動車に設けられた自動変速機のシフトレバーの変速位置を決める従来の「駐車−後進−中立−前進」などの個々の配列を、人間工学的な観点より、錯誤による誤操作を防止するよう前記配列を改めることにより、錯誤による誤操作を防ぎ、より安全な操作を可能とし、人身事故あるいは対物事故の防止を実現することを意図した自動変速機のシフトレバー装置である。
本発明の基本は、人間の自然な動きに沿って、人間工学的な観点より、自動変速機のシフトレバーの位置を、「前進」のときは前側へ、「後進」のときは、後側へ配置するところにある。
【０００５】
【発明の実施の形態】
従来の自動車に設けられた自動変速機のシフトレバーの変速位置は、図１に示すように、例えば、進行方向から見て、「駐車Ｐ−後進Ｒ−中立Ｎ−前進Ｄ−前進２−前進１」という配列に対して、これを、本発明は、人間の自然な動きに沿って、また、人間工学的な観点より、錯誤による誤操作を防止するように、図３に示すように配列を「前進１−前進２−前進Ｄ−中立Ｎ−後進Ｒ−駐車Ｐ」と改めることにより、錯誤による誤操作を防ぎ、より安全な操作を可能とし、人身事故あるいは対物事故の防止を実現することを意図した自動変速機のシフトレバーである。
シフトレバーの配列を図３のように改めるに伴って、シフトレバー３０に連結する自動変速機５０の配置を従来の配置に対して、インプットシャフト及びアウトプットシャフトの位置を逆向きに配置した場合の側面図を図４に示す。しかしながら、このように自動変速機の配置を逆向きにする場合は、関連の機構も合わせて変更することを要し、必ずしも現実的とは言えない。
そこで、図５には、自動変速機５０の配置を従来の配置のままで、シフトレバーの配列を図３のように改めようとする際に、シフトレバー３０と自動変速機５０の間にシフトレバー動作反転装置６０を挿入した場合を示す。
このシフトレバー動作反転装置には、種々の方法が考えられるが、このシフトレバー動作反転装置の基本は、「前側」への動作を「後側」への動作、または「後側」への動作を「前側」への動作へと反転するものであり、その一例を図６、図７及び図８に示す。
図６は、シフトレバー動作反転装置の一例として、動作反転レバー８０を挿入した場合の上面図である。また、図７には、速度変換レバーまたはスプリングなど９０がシフトレバー３０のつまみ３１と固定回転軸８１の中間位置にリンクされている場合、図中の矢印にて示すように、固定回転軸８１の位置を変更することによって、シフトレバー動作を反転させる場合の側面図である。
更に、図８には、速度変換レバーまたはスプリングなど９０がシフトレバー３０の先端にリンクされている場合、図中の矢印にて示すように、動作反転レバー８０を挿入することによって、シフトレバー動作を反転させる場合の側面図である。
【０００６】
【実施形態の効果】
本発明は以上に説明したような構成により次のような効果を奏する。
人間の基本的な動作として、何らかの操作によって前後左右あるいは上下に行動しようとするとき、「前進」したいときには前側へ、「後進」したいときには後側へ、「右」に行きたいときには右側へ、「左」に行きたいときには左側へ、本能的に操作をしようとするものである。
一方、運転者が何らかの理由で急いでいたり、慌てていたりした時、あるいは、チョッとした錯誤によって、「前進」するつもりが、変速シフトレバーをうっかり「後進」の位置に入れたり、または、その逆の操作をしてしまうことがしばしばあり、このような誤操作によって、思わぬ事故が発生し、例えば、駐車場での人身事故や対物事故の原因のうちの幾つかは、このような誤操作によって発生していることがしばしば報告されている。更に、高齢化の進む時代において、運転者も同様に高齢化の傾向にあり、錯誤による誤操作を防止し、誰が運転しても安全な操作が可能となるように、自動車の自動変速機のシフトレバー操作も人間工学的な観点より、より安全な設計が望まれていた。
そこで、本発明は、このような人間の自然な動きに沿うよう、また、人間工学的な観点より、自動車の進行方向から見て、自動変速機のシフトレバーの配置を「前進１−前進２−前進Ｄ−中立Ｎ−後進Ｒ−駐車Ｐ」とした自動変速機のシフトレバーの配列に変えることによって、駐車場などの狭い所での、自動変速機２０のシフトレバー３０の「前進」、「後進」の切替え操作の特に多い場面にて、運転者が何らかの理由で急いでいたり、慌てていたりした時、あるいは、チョッとした錯誤によって、「前進」するつもりが、変速シフトレバーをうっかり「後進」の位置に入れたり、または、その逆の操作をしてしまうような誤操作を未然に防ぐことができる。その結果、自動変速機２０のシフトレバー３０の「前進」、「後進」の切替え操作の特に多い場面、例えば、駐車場での自動変速機２０のシフトレバー３０の誤操作による人身事故や対物事故の防止が期待できるばかりでなく、更に、高齢化の進む時代において、運転者も同様に高齢化の傾向にあり、誰が運転してもより安全な操作が可能となる。
【０００７】
【他の実施形態】
図３では、シフトレバー３０の配列が一直線上として、説明しているが、「後進Ｒ」の位置が、その一直線上から外れた配置であってもよい。本発明の基本は、自動変速機のシフトレバーの位置を、「中立Ｎ」に対して、「前進」のときは前側へ、「後進」のときは、後側へ配置するところにある。図５に示すシフトレバー動作変換装置６０は、シフトレバー３０の動きを逆向きに自動変速機５０へ伝える機構を有するもので、種々の形態があり得る。
【０００８】
【発明の効果】
本発明は、人間の自然な動きに沿うよう、また、人間工学的な観点より、自動車の進行方向から見て、自動変速機のシフトレバーの配置を「前進１−前進２−前進Ｄ−中立Ｎ−後進Ｒ−駐車Ｐ」とした自動変速機のシフトレバーの配列に変えることによって、駐車場などの狭い所での、自動変速機２０のシフトレバー３０の「前進」、「後進」の切替え操作の特に多い場面にて、運転者が何らかの理由で急いでいたり、慌てていたりした時、あるいは、チョッとした錯誤によって、「前進」するつもりが、変速シフトレバーをうっかり「後進」の位置に入れたり、または、その逆の操作をしてしまうような誤操作を未然に防ぐことができる。その結果、自動変速機２０のシフトレバー３０の「前進」、「後進」の切替え操作の特に多い場面、例えば、駐車場での自動変速機２０のシフトレバー３０の誤操作による人身事故や対物事故の防止が期待できるばかりでなく、更に、高齢化の進む時代において、運転者も同様に高齢化の傾向にあり、誰が運転してもより安全な操作が可能となる。
【図面の簡単な説明】
【図１】従来の自動車の自動変速機のシフトレバーの相対的配置の一例を示す平面図である。
【図２】従来の自動車の自動変速機のシフトレバーの相対的配置の一例を示す側面図である。
【図３】本発明に基づく自動車の自動変速機のシフトレバーの相対的配置の一例を示す平面図である。
【図４】本発明に基づく自動車の自動変速機のシフトレバーの相対的配置の一例を示す側面図である。但し、自動変速機のインプットシャフト及びアウトプットシャフトの位置を、在来と逆の配置とした場合である。
【図５】本発明に基づく他の例としての自動車の自動変速レバーの相対的配置の一例を示す側面図である。但し、シフトレバー動作反転装置の挿入によって、自動変速機のインプットシャフト及びアウトプットシャフトの位置を、在来と同じ配置のままとした場合である。
【図６】本発明に基づくシフトレバー動作反転装置の一例の上面図である。
【図７】本発明に基づくシフトレバー動作反転装置の一例の側面図で、速度変換レバーまたはスプリングなどがシフトレバーのつまみと固定回転軸の中間位置にリンクされている場合で、図中矢印にて示すように、固定回転軸の位置を変えることによって、シフトレバーの動作を反転させる装置である。
【図８】本発明に基づくシフトレバー動作反転装置の一例の側面図で、速度変換レバーまたはスプリングなどがシフトレバーの先端にリンクされていて、固定回転軸の反対側にシフトレバーのつまみがある場合で、図中矢印にて示すように、動作反転レバーを挿入することによって、シフトレバーの動作を反転させる装置である。
【符号の説明】
１０　自動車本体
２０　自動変速機のシフトレバーの運転席内部での操作部
３０　自動変速機のシフトレバー
３１　シフトレバーつまみ
４０　自動変速機のシフトレバーの運転席内部での操作部の一例の拡大図
Ｐ　　自動変速機のシフトレバーの位置「駐車」
Ｒ　　自動変速機のシフトレバーの位置「後進」
Ｎ　　自動変速機のシフトレバーの位置「中立」
Ｄ　　自動変速機のシフトレバーの位置「前進Ｄ」
２　　自動変速機のシフトレバーの位置「前進２」
１　　自動変速機のシフトレバーの位置「前進１」
５０　自動変速機
Ａ　　従来の自動変速機の例えば、インプットシャフト側
Ｂ　　従来の自動変速機の例えば、アウトプットシャフト側
６０　シフトレバー動作変換装置
８０　動作反転レバー
８１　固定回転軸
８２　固定回転軸
９０　速度変換レバーまたはスプリングなど
【図１】
2004136857.tif 000003
【図２】
2004136857.tif 000004
【図３】
2004136857.tif 000005
【図４】
2004136857.tif 000006
【図５】
2004136857.tif 000007
【図６】
2004136857.tif 000008
【図７】
2004136857.tif 000009
【図８】
2004136857.tif 000010